(57)【要約】【課題】データの保護が十分に図られるようにするためのデータストリーム記録装置等を提供することである。【解決手段】受信ユニット３は、デジタル放送を受信して得られたデータストリームを、接続バスＢを介してマザーボード１に送る。マザーボード１は、このデータストリームに含まれるＴＳパケットのうち、データストリーム内にある分割対象指定記述子により指定されているＴＳパケット（間引き対象パケット）を、コンテンツ記録再生プログラムの制御に従って受信ユニット３のコンテンツ保存用内部メモリ３３に記憶させ、他をマザーボード用ストレージ２に記憶させる。コンテンツを再生する場合は、間引き対象パケットをコンテンツ記録再生プログラムの制御に従ってコンテンツ保存用内部メモリ３３から読み出し、他をマザーボード用ストレージ２から読み出して、元のデータストリームを復元し、モジュールを復元する。【選択図】　図１
2004104304.tif 000002
【特許請求の範囲】
【請求項１】
データＥＳ（Ｅｌｅｍｅｎｔａｒｙ　Ｓｔｒｅａｍ）を構成するデータを含んだデータストリームを取得し、取得したデータストリームを構成する複数のパケットのうちから、第１のグループに振り分けるべきパケットを指定する指定データを抽出し、取得した前記複数のパケットのうち、前記指定データが指定するパケットを前記第１のグループに振り分け、残余のパケットを第２のグループに振り分ける間引き手段と、
前記間引き手段以外からのアクセスを実質的に阻止する第１の記憶領域を有する第１の記憶手段と、
第２の記憶領域を有する第２の記憶手段と、を備え、
前記間引き手段は、前記第１のグループに属するパケットを前記第１の記憶領域に格納し、前記第２のグループに属するパケットを第２の記憶領域に格納する、
ことを特徴とするデータストリーム記録装置。
【請求項２】
前記指定データは、前記データストリームに含まれるＰＭＴ（Ｐｒｏｇｒａｍ　Ｍａｐ　Ｔａｂｌｅ）若しくはＥＩＴ（Ｅｖｅｎｔ　Ｉｎｆｏｒｍａｔｉｏｎ　Ｔａｂｌｅ）に含まれ、又は、前記データストリームに含まれるＰＭＴ若しくはＥＩＴに付加されている、
ことを特徴とする請求項１に記載のデータストリーム記録装置。
【請求項３】
前記データＥＳを構成するデータは１個以上のモジュールのいずれかに属しており、各々の前記モジュールは１個以上のセクションより構成されていて、
前記指定データは、前記第１のグループに振り分けるべきパケットが含むデータがいずれのモジュール及びセクションに属するかを指定するものである、
ことを特徴とする請求項１又は２に記載のデータストリーム記録装置。
【請求項４】
前記間引き手段は、前記第１又は第２のグループに振り分けられたパケットを前記第１及び第２の記憶領域より読み出し、読み出したパケットに基づいて前記データストリームを復元する合成手段を備える、
ことを特徴とする請求項１、２又は３に記載のデータストリーム記録装置。
【請求項５】
前記間引き手段は、前記第１又は第２のグループに振り分けられたパケットが前記データストリーム内で占めていた位置を表す情報を生成して前記第１又は第２の記憶領域に格納する、
ことを特徴とする請求項１乃至４のいずれか１項に記載のデータストリーム記録装置。
【請求項６】
前記間引き手段は、取得した前記データストリームを、前記第１のグループに振り分けられたパケットがダミー用パケットへと置換された置換済みデータストリームへと変換して、前記第２の記憶領域に格納する、
ことを特徴とする請求項１乃至５のいずれか１項に記載のデータストリーム記録装置。
【請求項７】
前記間引き手段はプロセッサを備え、前記プロセッサは、所定のプログラムを実行することにより、前記第１の記憶領域にアクセスする、
ことを特徴とする請求項１乃至６のいずれか１項に記載のデータストリーム記録装置。
【請求項８】
前記第１の記憶手段及び前記間引き手段は、前記プロセッサが所定のプログラムを実行することによりデータの伝送が可能となるバスを介して互いに接続されている、
ことを特徴とする請求項７に記載のデータストリーム記録装置。
【請求項９】
前記間引き手段は、前記第１及び／又は第２のグループに振り分けられたパケットを暗号化して前記第１及び／又は第２の記憶領域に格納する、
ことを特徴とする請求項１乃至８のいずれか１項に記載のデータストリーム記録装置。
【請求項１０】
データＥＳ（Ｅｌｅｍｅｎｔａｒｙ　Ｓｔｒｅａｍ）を構成するデータを含んだデータストリームを取得し、取得したデータストリームを構成する複数のパケットのうちから、第１のグループに振り分けるべきパケットを指定する指定データを抽出し、取得した前記複数のパケットのうち、前記指定データが指定するパケットを前記第１のグループに振り分け、残余のパケットを第２のグループに振り分け、
前記第１のグループに属するパケットを、所定のアクセス装置以外からのアクセスを実質的に阻止する第１の記憶領域に格納し、
前記第２のグループに属するパケットを第２の記憶領域に格納する、
ことを特徴とするデータストリーム記録方法。
【請求項１１】
コンピュータを、
データＥＳ（Ｅｌｅｍｅｎｔａｒｙ　Ｓｔｒｅａｍ）を構成するデータを含んだデータストリームを取得し、取得したデータストリームを構成する複数のパケットのうちから、第１のグループに振り分けるべきパケットを指定する指定データを抽出し、取得した前記複数のパケットのうち、前記指定データが指定するパケットを前記第１のグループに振り分け、残余のパケットを第２のグループに振り分ける間引き手段と、
前記間引き手段以外からのアクセスを実質的に阻止する第１の記憶領域を有する第１の記憶手段と、
第２の記憶領域を有する第２の記憶手段と、して機能させるためのプログラムであって、
前記間引き手段は、前記第１のグループに属するパケットを前記第１の記憶領域に格納し、前記第２のグループに属するパケットを第２の記憶領域に格納する、
ことを特徴とするプログラム。
【発明の詳細な説明】
【０００１】
【発明の属する技術分野】
この発明は、データストリーム記録装置、データストリーム記録方法及びプログラムに関する。
【０００２】
【従来の技術】
画像や音声などのコンテンツを、コンテンツを表すデータを含むパケットが連続したものからなるデータストリームの形で放送するデジタル放送が利用されている。
【０００３】
デジタル放送されたコンテンツは、デジタル形式のデータとして記憶装置に蓄積することができ、蓄積の際にデータの劣化が非常に起こりにくい。
このため、デジタル放送されたコンテンツにかかる著作権などの権利の保護を図るための技術が用いられている。具体的には、コンテンツを表すデータを暗号化した上で蓄積する手法がある（例えば、特許文献１参照。）。
【０００４】
【特許文献１】
特開平０８−１２５６５１号公報（段落０００７、段落００４２〜００４６、第３図）
【０００５】
【発明が解決しようとする課題】
しかし、暗号化の手法が攻撃に対して十分な強度を持っていないと、暗号化されたデータは復号鍵を知らない者によっても容易に復号化されてしまい、データの十分な保護が図れない。
【０００６】
この問題を解決する手法としては、コンテンツを表すデータの一部を、データストリームを構成するパケットから間引いて、間引いた部分を、不正なアクセスから守られた安全な退避用メモリ（例えば、所定のプログラムの制御に従ってのみアクセスできるようなメモリ）に退避させる、という手法が考えられる。
データの一部を間引くようにすれば、間引かれたデータを正当な手順で退避用メモリから読み出さない限り、コンテンツを正しく再生することはできない。従って、コンテンツの保護が図られる。
【０００７】
しかし、データ放送コンテンツ（例えば、ＢＭＬ（Ｂｒｏａｄｃａｓｔ　Ｍａｒｋｕｐ　Ｌａｎｇｕａｇｅ）文書と、ＢＭＬ文書のリンク先となるデータとにより表されるコンテンツ）を放送する場合は、様々な順序でコンテンツを再生できるように、同一内容のデータを繰り返し伝送する手法（データカルーセル伝送方式）が用いられるのが一般的である。
従って、データ放送コンテンツを表すデータの一部を上述の手法で間引いても、繰り返して伝送されるデータを受信するうちに、いったんは間引かれた部分も取得できてしまい、データ放送コンテンツの完全な再生を不正に行うことが可能になってしまう、という問題がなお残る。
【０００８】
また、データの間引きを行うとしても、データストリームに係る権利の権利者にとってデータストリームの重要な部分が保護されるべき部分であるか、という観点に関係なく間引きを行えば、データストリームに係る権利の保護は適切に行われないこととなる。
【０００９】
この発明は、上記実状に鑑みてなされたものであり、データの保護が十分に図られるようにするためのデータストリーム記録装置及びデータストリーム記録方法を提供することを目的とする。
【００１０】
【課題を解決するための手段】
上記目的を達成するため、この発明の第１の観点に係るデータストリーム記録装置は、
データＥＳ（Ｅｌｅｍｅｎｔａｒｙ　Ｓｔｒｅａｍ）を構成するデータを含んだデータストリームを取得し、取得したデータストリームを構成する複数のパケットのうちから、第１のグループに振り分けるべきパケットを指定する指定データを抽出し、取得した前記複数のパケットのうち、前記指定データが指定するパケットを前記第１のグループに振り分け、残余のパケットを第２のグループに振り分ける間引き手段と、
前記間引き手段以外からのアクセスを実質的に阻止する第１の記憶領域を有する第１の記憶手段と、
第２の記憶領域を有する第２の記憶手段と、を備え、
前記間引き手段は、前記第１のグループに属するパケットを前記第１の記憶領域に格納し、前記第２のグループに属するパケットを第２の記憶領域に格納する、
ことを特徴とする。
【００１１】
前記指定データは、例えば、前記データストリームに含まれるＰＭＴ（Ｐｒｏｇｒａｍ　Ｍａｐ　Ｔａｂｌｅ）若しくはＥＩＴ（Ｅｖｅｎｔ　Ｉｎｆｏｒｍａｔｉｏｎ　Ｔａｂｌｅ）に含まれ、又は、前記データストリームに含まれるＰＭＴ若しくはＥＩＴに付加されていればよい。
【００１２】
前記データＥＳを構成するデータは１個以上のモジュールのいずれかに属しており、各々の前記モジュールは１個以上のセクションより構成されていてもよく、
前記指定データは、前記第１のグループに振り分けるべきパケットが含むデータがいずれのモジュール及びセクションに属するかを指定するものであってもよい。
【００１３】
前記間引き手段は、前記第１又は第２のグループに振り分けられたパケットを前記第１及び第２の記憶領域より読み出し、読み出したパケットに基づいて前記データストリームを復元する合成手段を備えるものであってもよい。
【００１４】
前記間引き手段は、前記第１又は第２のグループに振り分けられたパケットが前記データストリーム内で占めていた位置を表す情報を生成して前記第１又は第２の記憶領域に格納するものであってもよい。
【００１５】
前記間引き手段は、取得した前記データストリームを、前記第１のグループに振り分けられたパケットがダミー用パケットへと置換された置換済みデータストリームへと変換して、前記第２の記憶領域に格納するものであってもよい。
【００１６】
前記間引き手段はプロセッサを備え、前記プロセッサは、所定のプログラムを実行することにより、前記第１の記憶領域にアクセスするものであってもよい。
【００１７】
前記第１の記憶手段及び前記間引き手段は、前記プロセッサが所定のプログラムを実行することによりデータの伝送が可能となるバスを介して互いに接続されているものであってもよい。
【００１８】
前記間引き手段は、前記第１及び／又は第２のグループに振り分けられたパケットを暗号化して前記第１及び／又は第２の記憶領域に格納するものであってもよい。
【００１９】
また、この発明の第２の観点に係るデータストリーム記録方法は、
データＥＳ（Ｅｌｅｍｅｎｔａｒｙ　Ｓｔｒｅａｍ）を構成するデータを含んだデータストリームを取得し、取得したデータストリームを構成する複数のパケットのうちから、第１のグループに振り分けるべきパケットを指定する指定データを抽出し、取得した前記複数のパケットのうち、前記指定データが指定するパケットを前記第１のグループに振り分け、残余のパケットを第２のグループに振り分け、
前記第１のグループに属するパケットを、所定のアクセス装置以外からのアクセスを実質的に阻止する第１の記憶領域に格納し、
前記第２のグループに属するパケットを第２の記憶領域に格納する、
ことを特徴とする。
【００２０】
また、この発明の第３の観点に係るプログラムは、
コンピュータを、
データＥＳ（Ｅｌｅｍｅｎｔａｒｙ　Ｓｔｒｅａｍ）を構成するデータを含んだデータストリームを取得し、取得したデータストリームを構成する複数のパケットのうちから、第１のグループに振り分けるべきパケットを指定する指定データを抽出し、取得した前記複数のパケットのうち、前記指定データが指定するパケットを前記第１のグループに振り分け、残余のパケットを第２のグループに振り分ける間引き手段と、
前記間引き手段以外からのアクセスを実質的に阻止する第１の記憶領域を有する第１の記憶手段と、
第２の記憶領域を有する第２の記憶手段と、して機能させるためのプログラムであって、
前記間引き手段は、前記第１のグループに属するパケットを前記第１の記憶領域に格納し、前記第２のグループに属するパケットを第２の記憶領域に格納する、
ことを特徴とする。
【００２１】
【発明の実施の形態】
以下、この発明の実施の形態を、図面を参照して説明する。
図１は、この発明の実施の形態に係るデジタル放送レコーダの構成を示す図である。図示するように、このデジタル放送レコーダは、マザーボード１と、マザーボード用ストレージ２と、受信ユニット３とより構成されている。マザーボード用ストレージ２はマザーボード１に接続されており、受信ユニット３は、接続バスＢを介してマザーボード１に接続されている。
【００２２】
マザーボード１は、たとえば、ＣＰＵ（Ｃｅｎｔｒａｌ　Ｐｒｏｃｅｓｓｉｎｇ　Ｕｎｉｔ）等からなるプロセッサと、ＲＡＭ（Ｒａｎｄｏｍ　Ａｃｃｅｓｓ　Ｍｅｍｏｒｙ）等からなるメモリと、バスコントローラと、を備える。なお、接続バスＢは、ＰＣＩ（Ｐｅｒｉｐｈｅｒａｌ　ＣｏｍｐｏｎｅｎｔＩｎｔｅｒｆａｃｅ）バスからなる。
マザーボード１のメモリは、マザーボード１のプロセッサのワークエリアとなる記憶領域を有する。マザーボード１のバスコントローラは、マザーボード１のプロセッサとマザーボード１の外部の装置との間での接続バスＢを介したデータ交換を制御するための制御回路からなる。
【００２３】
マザーボード１は、マザーボード用ストレージ２に記憶されている放送記録再生プログラムを読み出し、この放送記録再生プログラムに従って後述する処理を行う。
放送記録再生プログラムが制御する処理は、機能的には複数の処理ブロックを含んでいる。具体的には、図５や図７を参照して後述するデマルチプレクサ１Ａ、ストリーム間引きブロック１Ｂ、ストリーム合成ブロック１Ｃ、ストレージ記録ブロック１Ｄ、モジュール復元ブロック１Ｅ及びストレージ読み出しブロック１Ｆ、の各処理ブロックを含んでいる。
【００２４】
マザーボード用ストレージ２は、ハードディスク装置等より構成されていて、上述の放送記録再生プログラムを予め記憶している。そして、マザーボード１からのアクセスに従い、マザーボード１が供給するデータを記憶したり、自己が記憶しているデータを読み出してマザーボード１に供給したりする。
【００２５】
受信ユニット３は、デジタル放送受信部３１と、ＰＣＩバスブリッジ３２と、コンテンツ保存用内部メモリ３３と、ＩＤＥ（Ｉｎｔｅｌｌｉｇｅｎｔ　Ｄｒｉｖｅ　Ｅｌｅｃｔｒｏｎｉｃｓ）バスブリッジ３４とを備える。
【００２６】
デジタル放送受信部３１は、復調回路より構成されており、内部バスを介してＰＣＩバスブリッジ３２に接続されている。デジタル放送受信部３１は、外部よりデジタル放送された、データストリームを表す変調波を入力して復調することにより、データストリームを構成するＴＳ（Ｔｒａｎｓｐｏｒｔ　Ｓｔｒｅａｍ）パケットを復元する。そして、復元されたＴＳパケットを、ＰＣＩバスブリッジ３２及び接続バスＢを介してマザーボード１に供給する。
【００２７】
デジタル放送受信部３１が受信する変調波が表すデータストリームは、文字や画像や音声などのコンテンツを表しており、図２に示すように、連続した複数のＴＳパケットより構成されている。
ＴＳパケットはコンテンツを表すデータを含むパケットであり、図２に示すデータ構造を有している。すなわち、ＴＳパケットは、ＴＳパケットヘッダと、ＴＳパケットヘッダに後続するペイロード部（アダプテーションフィールド／ペイロード）とより構成される。
【００２８】
ペイロード部は、コンテンツを表すデータを含む部分である。ＴＳパケットのペイロード部がデータ放送コンテンツを表すモジュールを構成するデータを含む場合、図３に示すように、各ペイロード部は、同一のモジュールを構成するデータを含むもの同士を、これらのペイロード部が含まれているＴＳパケットが並んでいた順で互いに連結することにより、後述のＤＳＭ−ＣＣ（Ｄｉｇｉｔａｌ　Ｓｔｏｒａｇｅ　Ｍｅｄｉａ　Ｃｏｍｍａｎｄ　ａｎｄ　Ｃｏｎｔｒｏｌ）セクションを形成できるようになっている。なお、ペイロード部の先頭部分には、アダプテーションフィールドが設けられる場合もある。
【００２９】
上述のモジュールは、データ放送コンテンツの要素としてユーザに提示される画像や音声などを表すデータであるコンテンツ要素データ（例えば、ＪＰＥＧ（Ｊｏｉｎｔ　Ｐｉｃｔｕｒｅ　Ｅｘｐｅｒｔ　Ｇｒｏｕｐ）形式のデータや、ＡＩＦＦ−Ｃ（Ａｕｄｉｏ　Ｉｎｔｅｒｃｈａｎｇｅ　Ｆｉｌｅ　Ｆｏｒｍａｔ　ｆｏｒ　Ｃｏｍｐｒｅｓｓｉｏｎ）形式のデータなど）と、ＢＭＬ（ＢｒｏａｄｃａｓｔＭａｒｋｕｐ　Ｌａｎｇｕａｇｅ）形式で記述されたデータ（ＢＭＬ文書）とより構成されている。
【００３０】
なお、モジュール同士は、互いに連結されることにより、データＥＳ（Ｅｌｅｍｅｎｔａｒｙ　Ｓｔｒｅａｍ）を形成する。データＥＳは、データカルーセル伝送方式と呼ばれる手法により送信される。すなわち、データＥＳは、データＥＳをなす各モジュールが、所期の放送期間中にそれぞれ複数回繰り返し送信されるように形成され、送信される。データＥＳがデータカルーセル伝送方式で送信されることにより、データＥＳを取得するデバイスは、データＥＳをなす各モジュールを、任意の順序で取得することが可能となる。
【００３１】
ＢＭＬ文書は、データ放送コンテンツの要素としてユーザに提示されるテキストを表すデータや、コンテンツ要素データが示す画像や音声などの提示の態様（例えば、デジタル放送コンテンツを表示する表示画面上での画像の配置や、音声を再生する条件）を指定する情報や、リンク情報（自己をリンク元として、リンク先である他のＢＭＬ文書等へと一方向的な参照を行う条件を示す情報）を含む。
【００３２】
データ放送コンテンツを再生してユーザに提示するデバイスは、ＢＭＬ文書を取得すると、取得したＢＭＬ文書が示す通りの態様で、コンテンツ要素データが示す画像や音声を出力し、また、取得したＢＭＬ文書が示す、リンクの条件が満たされたとき（例えば、当該ＢＭＬ文書が指定する特定の画像がクリックされたとき、等）、リンク先である他のＢＭＬ文書を取得する。
【００３３】
ＢＭＬ文書のうち少なくとも１個は、データ放送コンテンツを再生してユーザに提示する場合に上述のデバイスが最初に取得すべきＢＭＬ文書（スタートアップ文書）である。スタートアップ文書はリンクの起点になるＢＭＬ文書であって、上述のデバイスは、スタートアップ文書以外のＢＭＬ文書を、他のＢＭＬ文書からのリンクによってのみ参照する一方、スタートアップ文書は、他のＢＭＬ文書のリンク先となっていなくてもまず最初に参照する。
【００３４】
そして、モジュールは、デジタル放送による伝送を容易にするため、複数のＤＳＭ−ＣＣセクションへと分割されている。各々のＤＳＭ−ＣＣセクションの先頭部分には、テーブルＩＤ（ＩＤｅｎｔｉｆｉｅｒ）と、モジュールＩＤと、セクションナンバとが付されている。
【００３５】
テーブルＩＤは、このテーブルＩＤを付されたＤＳＭ−ＣＣセクションが含んでいるデータの種類を示す。モジュールを構成するデータ（以下、「ＤＤＢ」（Ｄｏｗｎｌｏａｄ　Ｄａｔａ　Ｂｌｏｃｋ）と呼ぶ）を含んでいる場合は、ＤＤＢを示す値をとる。
【００３６】
モジュールＩＤは、このモジュールＩＤを付されたＤＳＭ−ＣＣセクションが属するモジュールを識別するデータである。当該モジュールがスタートアップ文書を含むモジュール（スタートアップモジュール）である場合、モジュールＩＤは、スタートアップモジュールを示す固有の値をとる。
【００３７】
セクションナンバは、このセクションナンバを付されたＤＳＭ−ＣＣセクションが、当該ＤＳＭ−ＣＣセクションが属するモジュール内で何番目のＤＳＭ−ＣＣセクションであるか、を示す値である。
【００３８】
ＴＳパケットの説明に戻ると、ＴＳパケットヘッダは、図２に示すように、先頭より順に、同期バイト、ＴＳエラーデータ、ペイロードユニットスタートインジケータ、トランスポート優先度データ、ＰＩＤ（Ｐｒｏｇｒａｍ　ＩＤｅｎｔｉｆｉｅｒ）、トランスポートスクランブル制御データ、アダプテーションフィールド制御データ及び連続性指標を含む。
【００３９】
このうち、ＰＩＤは、当該ＰＩＤ自身が含まれているＴＳパケットのペイロード部がどのデータＥＳを構成するデータを含んでいるかを識別するデータである。スタートアップモジュールを含むデータＥＳ（エントリーコンポーネント）を構成するデータを含むＴＳパケットのＰＩＤは、エントリコンポーネントを示す固有の値をとる。
【００４０】
また、ペイロードユニットスタートインジケータは、当該ペイロードユニットスタートインジケータ自身が含まれているＴＳパケットのペイロード部が、ＤＳＭ−ＣＣセクションの先頭のデータを含むか否かを示す。具体的には、たとえば、ペイロードユニットスタートインジケータの値が「１」である場合、当該ペイロードユニットスタートインジケータ自身が含まれているＴＳパケットのペイロード部がＤＳＭ−ＣＣセクションの先頭のデータを含むことを示し、「０」である場合は、当該ペイロード部がＤＳＭ−ＣＣセクションの先頭のデータを含まないことを示す。
【００４１】
従って、１個のＤＳＭ−ＣＣセクションは、たとえば、データストリーム中でＰＩＤの値が互いに同一であるＴＳパケットを当該データストリーム内で並んでいた順に先頭から並べたものについて、値が「１」であるペイロードユニットスタートインジケータを含むＴＳパケット以降、値が「１」のペイロードユニットスタートインジケータを含む次のＴＳパケットの直前のＴＳパケットまでの連続する各ＴＳパケットのペイロード部同士を連結することにより生成される。
【００４２】
なお、ＴＳパケットのペイロード部のうちアダプテーションフィールドを除いた部分のデータ容量は、ＤＳＭ−ＣＣセクションの先頭部分が占めるデータ容量より大きいものとする。従って、値が「１」であるペイロードユニットスタートインジケータを含むＴＳパケットのペイロード部には、テーブルＩＤ、モジュールＩＤ及びセクションナンバがすべて含まれており、更に、ＤＤＢの一部も含まれている。
【００４３】
なお、ＴＳパケットのうちには、どのＰＩＤがどのデータＥＳを識別するものであるかを示すテーブルであるＰＭＴ（Ｐｒｏｇｒａｍ　Ｍａｐ　Ｔａｂｌｅ）をペイロード部に格納しているＴＳパケットが存在するものとする。ＰＭＴを格納するＴＳパケットは、繰り返し送信される。
【００４４】
ＰＭＴには、分割対象指定記述子も含まれている（あるいは、ＰＭＴに分割対象指定記述子が付加されている）。分割対象指定記述子は、後述するストリーム間引きブロック１Ｂの処理に従ってマザーボード１が間引く（すなわち、コンテンツ保存用内部メモリ３３に記憶させる）べきＴＳパケットを指定する情報を含むデータである。
【００４５】
分割対象指定記述子は、具体的には、例えば、図４に示す書式で記述されている。図４に示す分割対象指定記述子は、関数”ｄｉｖｉｄｅ＿ｃｏｎｔｒｏｌ＿ｄｅｓｃｒｉｐｔｏｒ（）”として記述されている。
図４の分割対象指定記述子内では、この分割対象指定記述子が関数”ｄｉｖｉｄｅ＿ｃｏｎｔｒｏｌ＿ｄｅｓｃｒｉｐｔｏｒ（）”を記述するものであることを示す値を有するパラメータ”ｄｅｓｃｒｉｐｔｏｒ＿ｔａｇ”と、この分割対象指定記述子関数の全長を示すパラメータ”ｄｅｓｃｒｉｐｔｏｒ＿ｌｅｎｇｔｈ”と、マザーボード１によりＴＳパケットの間引きを受ける対象のデータストリームの種類を指定する値を有するパラメータ”ＥＳ＿ｄｉｖｉｄｅ＿ｃｏｎｔｒｏｌ＿ｔｙｐｅ”とが定義されている。
【００４６】
このうち、パラメータ”ＥＳ＿ｄｉｖｉｄｅ＿ｃｏｎｔｒｏｌ＿ｔｙｐｅ”は、マザーボード１によりＴＳパケットの間引きを受ける対象のデータストリームが画像を表す場合は値”０１”をとり、間引きを受ける対象のデータストリームが音声を表す場合は値”１０”をとり、間引きを受ける対象のデータストリームがデータ放送コンテンツを表す場合は値”１１”をとるものとする。（なお、図４は、パラメータ”ＥＳ＿ｄｉｖｉｄｅ＿ｃｏｎｔｒｏｌ＿ｔｙｐｅ”の値が”１１”に設定されている場合を例示している。）
【００４７】
更に、図４の分割対象指定記述子内では、パラメータ”ＥＳ＿ｄｉｖｉｄｅ＿ｃｏｎｔｒｏｌ＿ｔｙｐｅ”の値が”０１”、”１０”又は”１１”であった場合について、それぞれ、いずれのＴＳパケットを間引くかを指定するパラメータが定義されている。
【００４８】
図４は、（ａ）パラメータ”ＥＳ＿ｄｉｖｉｄｅ＿ｃｏｎｔｒｏｌ＿ｔｙｐｅ”の値が”０１”又は”１０”であった場合はＴＳパケットの間引きが行われず、（ｂ）パラメータ”ＥＳ＿ｄｉｖｉｄｅ＿ｃｏｎｔｒｏｌ＿ｔｙｐｅ”の値が”１１”であった場合は、モジュールＩＤがパラメータ”ｍｏｄｕｌｅ＿ｉｄ”により示される値を有するモジュールのうち、セクションナンバがパラメータ”ＤＤＢ＿ｂｌｏｃｋ＿ｎｕｍｂｅｒ”により示される値をとるようなＤＳＭ−ＣＣセクションに属するデータを含むＴＳパケットが間引かれる、という指定が行われている場合を例示している。
【００４９】
間引きの対象となるモジュールの総数は、図４に示すパラメータ”ｄｉｖｉｄｅ＿ｍｏｄｕｌｅ＿ｃｏｕｎｔ”により定義されているものとし、パラメータ”ｍｏｄｕｌｅ＿ｉｄ”及び”ＤＤＢ＿ｂｌｏｃｋ＿ｎｕｍｂｅｒ”は、０以上パラメータ”ｄｉｖｉｄｅ＿ｍｏｄｕｌｅ＿ｃｏｕｎｔ”の値未満の各整数の値をとる変数”ｊ”の関数であるものとする。
変数”ｊ”の値がｘ（ｘは０以上パラメータ”ｄｉｖｉｄｅ＿ｍｏｄｕｌｅ＿ｃｏｕｎｔ”の値未満の任意の整数）である場合のパラメータ”ｍｏｄｕｌｅ＿ｉｄ”及び”ＤＤＢ＿ｂｌｏｃｋ＿ｎｕｍｂｅｒ”の値が、間引きの対象であるｘ番目のモジュールのモジュールＩＤと、このｘ番目のモジュール内で間引きの対象となるＤＳＭ−ＣＣセクションのセクションナンバとを示す。（なお、図４は、「間引きの対象となるモジュールの総数は１００個で、ｘ番目のモジュールはモジュールＩＤが（２・ｘ）のモジュールであり、このモジュールのうちセクションナンバが「１」であるＤＳＭ−ＣＣセクションに属するデータを含むＴＳパケットが間引かれる」という設定が行われている場合を例示している。）
【００５０】
なお、分割対象指定記述子は、間引きの対象となるＴＳパケットを、個々のデータＥＳ毎に指定するものとする。例えば、ＰＭＴが個々のデータＥＳに関する情報をデータＥＳ別に記述するものである場合は、間引きの対象をデータＥＳ毎に指定するため、間引きの対象であるデータＥＳに関する情報を記述する部分に、当該データＥＳについての分割対象指定記述子が付加されるものとすればよい。
【００５１】
物理的構成の説明に戻ると、ＰＣＩバスブリッジ３２は、バスコントローラ等より構成されており、接続バスＢを介してマザーボード１に接続されており、また、内部バスを介してＩＤＥバスブリッジ３４及びデジタル放送受信部３１に接続されている。
ＰＣＩバスブリッジ３２は、マザーボード１が放送記録再生プログラムの制御に従って行う、コンテンツ保存用内部メモリ３３へのアクセスを媒介する。また、また、デジタル放送受信部３１からコンテンツ保存用内部メモリ３３へのデータの供給を媒介する。
【００５２】
コンテンツ保存用内部メモリ３３は、コンパクトフラッシュ（登録商標）等の不揮発性メモリと、ＩＤＥバスを介したデータの伝送を行うためのインターフェース回路とより構成されている。
【００５３】
ＩＤＥバスブリッジ３４は、バスコントローラ等より構成されており、内部バスを介してＰＣＩバスブリッジ３２に接続され、一方でＩＤＥバスを介してコンテンツ保存用内部メモリ３３に接続されている。ＩＤＥバスブリッジ３４は、マザーボード１が放送記録再生プログラムの制御に従って行う、コンテンツ保存用内部メモリ３３へのアクセスを媒介する。
なお、ＰＣＩバスブリッジ３２及びＩＤＥバスブリッジ３４は、マザーボード１が放送記録再生プログラムの制御に従わずにコンテンツ保存用内部メモリ３３へとアクセスしても、このアクセスを実質的に阻止する。
【００５４】
（動作）
次に、このデジタル放送レコーダの動作を説明する。
図５は、コンテンツを記録する処理の流れを示す図である。
図６は、ストリーム間引きブロックの処理を示すフローチャートである。
図７は、記録したコンテンツを再生する処理の流れを示す図である。
なお、以下では、このデジタル放送レコーダが記録する対象のデータストリームが含むＰＭＴ内の分割対象指定記述子内では、パラメータ”ＥＳ＿ｄｉｖｉｄｅ＿ｃｏｎｔｒｏｌ＿ｔｙｐｅ”の値として、値”１１”が定義されているものとする。
【００５５】
（コンテンツの記録）
受信ユニット３のデジタル放送受信部３１に、データストリームを表す変調波が供給されると、デジタル放送受信部３１は、この変調波を復調することによりデータストリームを復元して、復元されたデータストリームを、ＰＣＩバスブリッジ３２及び接続バスＢを介し、マザーボード１に供給する。
【００５６】
一方、マザーボード１は、たとえば外部から操作者の操作に従って供給される録画の指示に応答して、放送記録再生プログラムをマザーボード用ストレージ２より読み出して実行する。
【００５７】
放送記録再生プログラムを実行するマザーボード１は、データストリームを供給されると（すなわち、ＴＳパケットを順次供給されると）、デマルチプレクサ１Ａの制御に従って、このＴＳパケットを、図５に示すように、ストリーム合成ブロック１Ｃ及びストリーム間引きブロック１Ｂの各処理ブロックに引き渡す。
【００５８】
ＴＳパケットがデマルチプレクサ１Ａからストリーム合成ブロック１Ｃに引き渡された場合（つまり、このデジタル放送レコーダがデジタル放送を受信した場合）、マザーボード１はストリーム合成ブロック１Ｃの制御に従い、このＴＳパケットに特に処理を加えないまま、このＴＳパケットをモジュール復元ブロック１Ｅに引き渡す。
【００５９】
モジュール復元ブロック１ＥにＴＳパケットが引き渡されると、マザーボード１は、モジュール復元ブロック１Ｅの制御に従い、このＴＳパケットのペイロード部からモジュールを構成するデータを抽出し、抽出したデータに基づいてモジュールを復元する。
【００６０】
一方、マザーボード１は、ストリーム間引きブロック１Ｂの制御に従って、図６に示す処理を行う。
【００６１】
すなわち、マザーボード１は、ＴＳパケットがストリーム間引きブロック１Ｂに引き渡され始めると、順次引き渡されるＴＳパケットのうちから、ＰＭＴを格納しているものを抽出する。そして、抽出したＴＳパケットに含まれるＰＭＴから、分割対象指定記述子を更に抽出し、一時記憶する（図６、ステップＳ１）。
【００６２】
ステップＳ１の処理が終わると、マザーボード１は、ＴＳパケットが引き続きストリーム間引きブロック１Ｂに引き渡されるたびに、このＴＳパケットに含まれるＰＩＤが、蓄積する対象のデータＥＳを示すか否かを判別し、ＰＩＤが蓄積する対象のデータＥＳを示すと判別すると、このＴＳパケットを取得する（ステップＳ２）。なお、ステップＳ２で、ＰＩＤが蓄積する対象のデータＥＳを示すものでないと判別すると、マザーボード１は、このＰＩＤを含むＴＳパケットを破棄して、ストリーム間引きブロック１Ｂの処理をステップＳ２に戻す（すなわち、次のＴＳパケットをデマルチプレクサ１Ａからストリーム間引きブロック１Ｂへと引き渡す）。
【００６３】
一方、ＰＩＤが蓄積する対象のデータＥＳを示すと判別すると、マザーボード１は、このＰＩＤを含むＴＳパケットに含まれるペイロードユニットスタートインジケータの値が、ＤＳＭ−ＣＣセクションの先頭を含むことを示す値であるか否かを判別する（ステップＳ３）。
【００６４】
そして、ＤＳＭ−ＣＣセクションの先頭を含まないことを示す値であるとステップＳ３で判別すると、マザーボード１は、ＤＳＭ−ＣＣセクションの先頭を含まないと判別されたＴＳパケット（非間引き対象パケット）をストレージ記録ブロック１Ｄに引き渡して、ストリーム間引きブロック１Ｂの処理をステップＳ２に戻す。（なお、本明細書及び図面では、マザーボード１から受信ユニット３に供給されたＴＳパケットを間引き対象パケットと呼び、ストリーム間引きブロック１Ｂからストレージ記録ブロック１Ｄへと引き渡されたＴＳパケットを非間引き対象パケットと呼ぶ。）
【００６５】
ただし、マザーボード１は、ステップＳ１の処理を行って以降、まだ一度も後述のステップＳ５の処理を行っていない場合は、ステップＳ３で、ＤＳＭ−ＣＣセクションの先頭を含まないと判別されたＴＳパケットを破棄し、ストリーム間引きブロック１Ｂの処理をステップＳ２に戻すものとする。
【００６６】
一方、ＤＳＭ−ＣＣセクションの先頭を含むことを示す値であるとステップＳ３又は後述のステップＳ８で判別すると、マザーボード１はまず、このＴＳパケットのペイロード部のうちアダプテーションフィールドを除いた部分から、ＤＳＭ−ＣＣセクションの先頭部分を抽出する（ステップＳ４）。
【００６７】
次に、マザーボード１は、ステップＳ４で抽出したＤＳＭ−ＣＣセクションの先頭部分の内容に含まれるモジュールＩＤ及びセクションナンバとに基づき、当該ＤＳＭ−ＣＣセクションが、ステップＳ１で抽出した分割対象指定記述子により間引く対象のＤＳＭ−ＣＣセクションとして指定されているものであるか否かを判別する（ステップＳ５）。
【００６８】
そして、マザーボード１は、ステップＳ４で抽出した先頭部分により示されるＤＳＭ−ＣＣセクションが間引く対象ではないとステップＳ５で判別すると、当該先頭部分を抽出したＴＳパケット（非間引き対象パケット）をストレージ記録ブロック１Ｄに引き渡して、ストリーム間引きブロック１Ｂの処理をステップＳ２に戻す。
【００６９】
一方、ステップＳ４で抽出した先頭部分により示されるＤＳＭ−ＣＣセクションが間引く対象であるとステップＳ５で判別し、又は、後述のステップＳ７で取得したＴＳパケットに含まれるペイロードユニットスタートインジケータの値が、ＤＳＭ−ＣＣセクションの先頭を含まないことを示す値であるとステップＳ８で判別すると、マザーボード１は、ステップＳ２又はＳ７で最も新しく取得したＴＳパケット（間引き対象パケット）を、受信ユニット３のコンテンツ保存用内部メモリ３３に書き込む（ステップＳ６）。
【００７０】
なお、マザーボード１は、コンテンツ保存用内部メモリ３３への間引き対象パケットの書き込みを、ＰＣＩバスブリッジ３２及びＩＤＥバスブリッジ３４を介してコンテンツ保存用内部メモリ３３にアクセスすることにより行う。すなわち、マザーボード１がコンテンツ保存用内部メモリ３３にアクセスし、間引き対象パケットが受信ユニット３へと供給されると、受信ユニット３のＰＣＩバスブリッジ３２は、この間引き対象パケットをＩＤＥバスブリッジ３４へと供給し、ＩＤＥバスブリッジ３４はコンテンツ保存用内部メモリ３３にアクセスして、この間引き対象パケットを、コンテンツ保存用内部メモリ３３の記憶領域に格納する。
【００７１】
ステップＳ６の処理が終わると、マザーボード１は、引き続いてストリーム間引きブロック１Ｂに引き渡されるＴＳパケットに含まれるＰＩＤが、蓄積する対象のデータＥＳを示すか否かを判別し、ＰＩＤが蓄積する対象のデータＥＳを示すと判別すると、このＴＳパケットを取得する（ステップＳ７）。なお、ステップＳ７でＰＩＤが蓄積する対象のデータＥＳを示すものでないと判別すると、マザーボード１は、このＰＩＤを含むＴＳパケットを破棄してストリーム間引きブロック１Ｂの処理をステップＳ７に戻すものとする。
【００７２】
ステップＳ７でＴＳパケットを取得すると、マザーボード１は、このＴＳパケットに含まれるペイロードユニットスタートインジケータの値が、ＤＳＭ−ＣＣセクションの先頭を含むことを示す値であるか否かを判別する（ステップＳ８）。そして、ＤＳＭ−ＣＣセクションの先頭を含まないことを示す値であると判別すると処理をステップＳ６に戻し、含むことを示す値であると判別すると、処理をステップＳ４に戻す。
【００７３】
図６に示す処理を行う一方、ストリーム間引きブロック１Ｂの処理を行うマザーボード１は、ストレージ記録ブロック１Ｄに非間引き対象パケットを引き渡すときは、受信ユニット３が受信した元のデータストリームのうち間引き対象パケットをダミーのパケットへと置換した置換済みデータストリームの形でストレージ記録ブロック１Ｄに引き渡す。ダミーのパケットは、たとえば、ＴＳパケットの所定の部分の値が、元のデータストリームに含まれているＴＳパケットの当該部分の値と異なる値であるようなパケットであればよい。
【００７４】
なお、ダミーのパケットのペイロード部の内容は、当該ダミーのパケットにより置換された間引き対象パケットのペイロード部の内容と異なるものとする。ダミーのパケットのペイロード部の内容と、当該ダミーのパケットの位置にあった間引き対象パケットのペイロード部の内容との間には、実質的に相関関係がないことが望ましい。
【００７５】
非間引き対象パケットがストレージ記録ブロック１Ｄへと引き渡されると、マザーボード１は、ストレージ記録ブロック１Ｄの制御に従ってマザーボード用ストレージ２にアクセスし、図５に示すように、この非間引き対象パケットを、マザーボード用ストレージ２の記憶領域に格納する。
【００７６】
また、ストリーム間引きブロック１Ｂの処理を行うマザーボード１は、それぞれの間引き対象パケットの、元のデータストリーム内での位置を示す位置情報テーブルを作成し、この位置情報テーブルもストレージ記録ブロック１Ｄへと引き渡す。マザーボード１は、この位置情報テーブルも、ストレージ記録ブロック１Ｄの制御に従ってマザーボード用ストレージ２の記憶領域に格納する。
【００７７】
なお、位置情報テーブルにより位置が表されている間引き対象パケットがどのコンテンツを表すものであるかを識別するため、マザーボード１は、たとえばこの位置情報テーブルを、この位置情報テーブルにより位置が表されている間引き対象パケットと共通のデータストリームから得られた非間引き対象パケットに対応付けて格納するようにすればよい。
【００７８】
（記録したコンテンツの再生）
記録されたコンテンツを再生する場合、マザーボード１は、たとえば外部から操作者の操作に従って供給されるコンテンツ再生の指示に応答して、放送記録再生プログラムをマザーボード用ストレージ２より読み出して実行する。
【００７９】
すると、マザーボード１は、ＰＣＩバスブリッジ３２及びＩＤＥバスブリッジ３４を介してコンテンツ保存用内部メモリ３３にアクセスし、間引き対象パケットを読み出す。読み出された間引き対象パケットはＩＤＥバスブリッジ３４に供給され、ＩＤＥバスブリッジ３４はこの間引き対象パケットをＰＣＩバスブリッジ３２に転送し、ＰＣＩバスブリッジ３２は、この間引き対象パケットを接続バスＢを介してマザーボード１に供給する。
なお、読み出す対象の間引き対象パケットは、たとえば、マザーボード用ストレージ２から、再生する対象のコンテンツを表す非間引き対象パケットに対応付けられた位置情報テーブルをストレージ読み出しブロック１Ｆの制御に従って読み出し、参照することにより特定すればよい。
【００８０】
マザーボード１は、図７に示すように、受信ユニット３から読み出した間引き対象パケットを、ストリーム合成ブロック１Ｃに引き渡す。
【００８１】
一方、マザーボード１は、間引き対象パケットがストリーム合成ブロック１Ｃに引き渡されると、表しているコンテンツがこの間引き対象パケットと共通する非間引き対象パケット（置換済みデータストリーム）を、マザーボード用ストレージ２より読み出す。
【００８２】
具体的には、マザーボード１は、たとえば、先に参照した位置情報テーブルに対応付けられている非間引き対象パケットを示す情報（たとえば、ファイル名や、格納されている記憶領域のアドレスなど）を、ストリーム合成ブロック１Ｃからストレージ読み出しブロック１Ｆに引き渡す。そして、ストレージ読み出しブロック１Ｆの制御に従ってマザーボード用ストレージ２にアクセスし、この情報により示される非間引き対象パケットをマザーボード用ストレージ２から読み出し、ストリーム合成ブロック１Ｃに引き渡す。
【００８３】
また、マザーボード１は、元のデータストリーム内でのこの間引き対象パケットの位置を示すテーブルも、ストリーム合成ブロック１Ｃやストレージ読み出しブロック１Ｆの制御に従ってマザーボード用ストレージ２より読み出す。
【００８４】
次に、マザーボード１は、ストリーム合成ブロック１Ｃの制御に従い、ストリーム合成ブロック１Ｃに引き渡された間引き対象パケット及び非間引き対象パケットの並び順を、読み出した位置情報テーブルの内容に従って、間引きが行われる前の状態へと復元する。具体的には、ストリーム合成ブロック１Ｃに引き渡された置換済みデータストリーム（すなわち、非間引き対象パケットの集合）に含まれるダミーのパケットを、読み出した位置情報テーブルによって当該ダミーのパケットの位置にあったと特定される間引き対象パケットに置換することにより、元のデータストリームを復元する。
そして、並び順が復元されたＴＳパケットを、図７に示すように、モジュール復元ブロック１Ｅに引き渡す。
【００８５】
モジュール復元ブロック１ＥにＴＳパケットが引き渡されると、マザーボード１は、モジュール復元ブロック１Ｅの制御に従い、このＴＳパケットのペイロード部からモジュールを構成するデータを抽出し、抽出したデータに基づき、図７に示すようにモジュールを復元する。
【００８６】
以上説明した動作を行うこのデジタル放送レコーダは、分割対象指定記述子により指定されたＤＳＭ−ＣＣセクションをなすデータをペイロード部に含んだＴＳパケット（間引き対象パケット）を、コンテンツ保存用内部メモリ３３に記憶させる。そして、この間引き対象パケットは、放送記録再生プログラムの制御に従わずに読み出そうとしてもアクセスを実質的に阻止される。従って、たとえばマザーボード用ストレージ２を切り離し、外部のコンピュータ等を用い、マザーボード用ストレージ２の記憶内容に基づいてデータ放送コンテンツを再生しようとしても、当該ＤＳＭ−ＣＣセクションにより表される部分のデータ放送コンテンツを再生することができない。この結果、データ放送コンテンツの保護が図られる。
【００８７】
また、間引き対象パケットは、データストリームを送信する放送事業者等が任意に決定できる。このため、データストリームに係る権利の権利者が保護を望む部分が、適切に保護される。
【００８８】
また、このデジタル放送レコーダは、分割対象指定記述子の内容に基づいて間引きの対象とされるＤＳＭ−ＣＣセクションは、データカルーセル伝送方式により繰り返し放送される複数のデータストリームのいずれについても共通である。従って、このデジタル放送レコーダを用いて何回データストリームを受信しても、マザーボード用ストレージ２が記憶するパケットのみからはデータ放送コンテンツを再生することができない。また、このデジタル放送レコーダを複数個用いる等して、同一のデータストリームを複数個並行して蓄積しても、一方のデジタル放送レコーダが間引いたＴＳパケットを、他方のデジタル放送レコーダのマザーボード用ストレージ２から転記して補うことによりデータ放送コンテンツを再生するということはできない。
【００８９】
また、このデジタル放送レコーダがコンテンツ保存用内部メモリ３３に記憶させる間引き対象パケットは、データＥＳを構成するデータを含むＴＳパケットのごく一部である。従って、コンテンツ保存用内部メモリ３３の記憶容量は、たとえばデータＥＳを構成するデータを含むＴＳパケットすべてをコンテンツ保存用内部メモリ３３に記憶させるような構成で必要となる記憶容量に比べて、はるかに小さな量で済む。
【００９０】
なお、このデジタル放送レコーダの構成は上述のものに限られない。
たとえば、コンテンツ要素データは、音声や静止画やテキストを表すものに限られず、例えば動画を表すデータ（ＭＰＥＧ（Ｍｏｖｉｎｇ　Ｐｉｃｔｕｒｅ　Ｅｘｐｅｒｔ　Ｇｒｏｕｐ）形式のデータなど）であってもよい。
また、音声を表すコンテンツ要素データは、必ずしも、ＡＩＦＦ−Ｃ形式のデータでなくてもよく、たとえばＡＡＣ（Ａｄｖａｎｃｅｄ　Ａｕｄｉｏ　Ｃｏｄｉｎｇ）形式のデータや、ＭＰ３（ＭＰＥＧ１　ａｕｄｉｏ　ｌａｙｅｒ　３）形式のデータや、ＡＴＲＡＣ（Ａｄａｐｔｉｖｅ　ＴＲａｎｓｆｏｒｍ　Ａｃｏｕｓｔｉｃ　Ｃｏｄｉｎｇ）形式のデータや、その他任意の形式のデータを含んでいてもよい。
また、画像を表すコンテンツ要素データは、必ずしも、ＪＰＥＧ形式のデータでなくてもよく、たとえばＧＩＦ（Ｇｒａｐｈｉｃｓ　Ｉｎｔｅｒｃｈａｎｇｅ　Ｆｏｒｍａｔ）形式のデータや、ＰＤＦ（Ｐｏｒｔａｂｌｅ　Ｄｏｃｕｍｅｎｔ　Ｆｏｒｍａｔ）形式のデータや、その他任意の形式のデータを含んでいてもよい。
【００９１】
また、分割対象指定記述子の書式は任意であり、必ずしも図４を参照して説明した書式によらなくてもよい。また、分割対象指定記述子は、間引き対象パケットの指定はＤＳＭ−ＣＣセクションを指定する形で行う必要はなく、特定のモジュールを構成するデータを含むＴＳパケットはすべて間引き対象パケットとするように指定してもよいし、間引き対象パケットを、個々のＴＳパケット毎に指定してもよいし、その他任意の指定条件を示すことにより指定してよい。
【００９２】
また、ストリーム間引きブロック１Ｂの処理を行うマザーボード１は、データストリームのうち分割対象指定記述子が指定する部分に位置するＴＳパケットのうちから予め定められた手法で間引き対象パケットを決定するようにしてもよい。この場合、分割対象指定記述子は、当該部分を指定する情報を含んでいればよい。
また、分割対象指定記述子は、間引き対象パケットを決定する予め定められた複数の手法のいずれかを指定する情報（例えば、当該手法に割り当てられた番号）を含んでいてもよい。この場合、ストリーム間引きブロック１Ｂの処理を行うマザーボード１は、分割対象指定記述子が指定する手法により、間引き対象パケットを決定するようにすればよい。
【００９３】
また、分割対象指定記述子は、必ずしもＰＭＴ内に記述されたりＰＭＴに付加されたりする必要はなく、データストリーム内の他の任意の位置に記述されていてもよい。従って、データストリームが、コンテンツを再生する装置にＥＰＧ（Ｅｌｅｃｔｒｏｎｉｃ　Ｐｒｏｇｒａｍ　Ｇｕｉｄｅ）を表示させるためのデータであるＥＩＴ（Ｅｖｅｎｔ　Ｉｎｆｏｒｍａｔｉｏｎ　Ｔａｂｌｅ）を含んでいる場合、分割対象指定記述子は、ＥＩＴ内に記述されたりＥＩＴに付加されたりしていてもよい。
分割対象指定記述子がＥＩＴ内に記述される場合は、間引きの対象をデータＥＳ毎に指定するため、例えば、ＥＩＴのうち、間引きの対象であるデータＥＳに関する情報を記述する部分に、当該データＥＳについての分割対象指定記述子が付加されるものとすればよい。
【００９４】
また、受信ユニット３はコンテンツ保存用内部メモリ３３を複数備えてもよく、データストリームは３個以上のグループに振り分けられてもよい。
また、非間引き対象パケットは必ずしも置換済みデータストリームの形でマザーボード用ストレージ２に記憶される必要はない。すなわちダミーのパケットは必要なものではない。
【００９５】
また、このデジタル放送レコーダは、マザーボード１が復元したモジュールが表すデータ放送コンテンツを再生してユーザに提示するため、このモジュールが表す画像の表示を制御するビデオ回路や、この制御に従って画像を表示する液晶パネル等の表示装置を備えていてもよい。また、マザーボード１が復元したモジュールが表す音声を再生するための増幅回路やスピーカ等を備えていてもよい。ビデオ回路や増幅回路がマザーボード１に搭載されていてもよい。なお、データ放送コンテンツの再生は、例えば、マザーボード用ストレージ２が予めブラウザプログラムを記憶し、マザーボード１のプロセッサがこのブラウザプログラムを読み込んで実行することにより行えばよい。
【００９６】
また、マザーボード１は、間引き対象パケットの位置を示す位置情報テーブルを当該間引き対象パケットに対応付けてコンテンツ保存用内部メモリ３３に格納するようにし、記録したコンテンツを再生するときは位置情報テーブルをコンテンツ保存用内部メモリ３３から読み出して用いるようにもよい。
【００９７】
また、接続バスＢは必ずしもＰＣＩバスに限られず任意の規格に準拠したバスであってよい。従って、接続バスＢは、たとえばＰＣ　Ｃａｒｄ　Ｓｔａｎｄａｒｄに準拠するバスからなっていてもよいし、ＵＳＢ（Ｕｎｉｖｅｒｓａｌ　Ｓｅｒｉａｌ　Ｂｕｓ）からなっていてもよい。ただし、受信ユニット３は、接続バスＢがＰＣＩバスでない場合、ＰＣＩバスブリッジ３２に代えて、接続バスＢが準拠する規格に適合したデータ交換を媒介するバスコントローラ等を備えるものとする。
【００９８】
また、コンテンツ保存用内部メモリ３３とＩＤＥバスブリッジ３４とを接続するバスは必ずしもＩＤＥバスに限られず任意の規格に準拠したバスであってよい。従って、このバスは、たとえばメモリ専用バスからなっていてもよい。ただし、受信ユニット３は、このバスがＩＤＥバスでない場合、ＩＤＥバスブリッジ３４に代えて、このバスが準拠する規格に適合したデータ交換を媒介するバスコントローラ等を備えるものとし、また、コンテンツ保存用内部メモリ３３が備えるインターフェース回路も、このバスが準拠する規格に適合したデータ交換を媒介するものとする。
【００９９】
また、マザーボード１は、コンテンツを記録するときは非間引き対象パケットを暗号化してからマザーボード用ストレージ２に記憶させ、記録したコンテンツを再生するときは、暗号化された非間引き対象パケットを読み出して復号化してからデータストリームの復元を行うようにしてもよい。
同様に、コンテンツを記録するときは間引き対象パケットを暗号化してからコンテンツ保存用内部メモリ３３に書き込み、記録したコンテンツを再生するときは、暗号化された間引き対象パケットを読み出して復号化してからデータストリームの復元を行うようにしてもよい。
【０１００】
以上、この発明の実施の形態を説明したが、この発明にかかるデータストリーム記録装置は、専用のシステムによらず、通常のコンピュータシステムを用いて実現可能である。
例えば、パーソナルコンピュータに上述のマザーボード１、マザーボード用ストレージ２及び受信ユニット３の動作を実行させるためのプログラムを格納した媒体（ＣＤ−ＲＯＭ、ＭＯ、ＦＤ等）から該プログラムをインストールすることにより、上述の処理を実行するデジタル放送レコーダを構成することができる。
【０１０１】
また、例えば、通信回線の掲示板（ＢＢＳ）に該プログラムを掲示し、これを通信回線を介して配信してもよく、また、該プログラムを表す信号により搬送波を変調し、得られた変調波を伝送し、この変調波を受信した装置が変調波を復調して該プログラムを復元するようにしてもよい。
そして、該プログラムを起動し、ＯＳの制御下に、他のアプリケーションプログラムと同様に実行することにより、上述の処理を実行することができる。
【０１０２】
なお、ＯＳが処理の一部を分担する場合、あるいは、ＯＳが本願発明の１つの構成要素の一部を構成するような場合には、記録媒体には、その部分を除いたプログラムを格納してもよい。この場合も、この発明では、その記録媒体には、コンピュータが実行する各機能又はステップを実行するためのプログラムが格納されているものとする。
【０１０３】
【発明の効果】
以上説明したように、この発明によれば、データの保護が十分に図られるようにするためのデータストリーム記録装置及びデータストリーム記録方法が実現される。
【図面の簡単な説明】
【図１】この発明の実施の形態に係るデジタル放送レコーダの構成を示すブロック図である。
【図２】データストリーム及びＴＳパケットのデータ構造を示す図である。
【図３】ＤＳＭ−ＣＣセクション、モジュール及びデータＥＳのデータ構造を示す図である。
【図４】分割対象指定記述子の書式を示す図である。
【図５】コンテンツを記録する処理の流れを示す図である。
【図６】ストリーム間引きブロックの処理を示すフローチャートである。
【図７】記録したコンテンツを再生する処理の流れを示す図である。
【符号の説明】
１　　　マザーボード
２　　　マザーボード用ストレージ
３　　　受信ユニット
３１　　　デジタル放送受信部
３２　　　ＰＣＩバスブリッジ
３３　　　コンテンツ保存用内部メモリ
３４　　　ＩＤＥバスブリッジ
Ｂ　　　接続バス
【図１】
2004104304.tif 000003
【図２】
2004104304.tif 000004
【図３】
2004104304.tif 000005
【図４】
2004104304.tif 000006
【図５】
2004104304.tif 000007
【図６】
2004104304.tif 000008
【図７】
2004104304.tif 000009